(57)【要約】【課題】空調性能の向上、快適性の向上、省エネ性の向上等を図った空気調和機を提供することを目的とする。【解決手段】下半部に空気吸込み口１３Ａ，１３Ｂが設けられ、上半部に空気吹出し口１５Ａないし１５Ｄが設けられている空気調和機１において、上半部の空気吹出し口１５Ａないし１５Ｄは、キャビネット２の左右両側部に各々上下方向に少なくとも２個ずつ設けられ、各空気吹出し口１５Ａないし１５Ｄおよび空気吸込み口１３Ａ，１３Ｂには、各々の開口を開閉可能な垂直フラップ１６Ａないし１６Ｄおよび垂直フラップ１４Ａ，１４Ｂが独立した駆動手段を介して回動自在に設置されているとともに、上半部に設けられている上方部位の空気吹出し口１５Ａ，１５Ｃの垂直フラップ１６Ａ，１６Ｃは、暖房運転開始時、所定条件が満たされるまでの間、空気吹出し口１５Ａ，１５Ｃを閉成可能に構成されている。【選択図】図１
2011137565.tif 000002
【特許請求の範囲】
【請求項１】
縦長のキャビネットを備え、該キャビネットの下半部に空気吸込み口が設けられ、上半部に空気吹出し口が設けられている空気調和機において、
前記上半部に設けられている前記空気吹出し口は、前記キャビネットの左右両側部にそれぞれ上下方向に少なくとも２個ずつ設けられ、
前記各空気吹出し口および前記空気吸込み口には、各々の開口を開閉可能な垂直フラップが独立した駆動手段を介して回動自在に設置されているとともに、
前記上半部に設けられている上方部位の前記空気吹出し口の前記垂直フラップは、暖房運転開始時、所定条件が満たされるまでの間、前記空気吹出し口を閉成可能に構成されていることを特徴とする空気調和機。
【請求項２】
縦長のキャビネットを備え、該キャビネットの下半部に空気吸込み口が設けられ、上半部に空気吹出し口が設けられている空気調和機において、
前記上半部に設けられている前記空気吹出し口は、前記キャビネットの左右両側部にそれぞれ上下方向に少なくとも２個ずつ設けられ、
前記各空気吹出し口および前記空気吸込み口には、各々の開口を開閉可能な垂直フラップが独立した駆動手段を介して回動自在に設置されているとともに、
前記下半部に設けられている前記空気吸込み口の前記垂直フラップは、デフロスト運転時、前記空気吸込み口を閉成可能に構成されていることを特徴とする空気調和機。
【請求項３】
前記キャビネットの前記上半部には、その下方部位に水平方向に開口された水平吹出し口が設けられ、該水平吹出し口には、その開口を開閉可能な水平フラップが独立した駆動手段を介して回動自在に設置されていることを特徴とする請求項１または２に記載の空気調和機。
【請求項４】
前記下半部に設けられている前記空気吸込み口は、少なくとも前記キャビネットの左右両側部に上下方向に沿って一対設けられていることを特徴とする請求項１ないし３のいずれかに記載の空気調和機。
【請求項５】
前記上半部に設けられている上下複数の前記空気吹出し口の前記垂直フラップは、一端縁側を支点に他端縁側が前方に開閉可能とされ、前記下半部に上下方向に沿って設けられている一対の前記空気吸込み口の前記垂直フラップは、一端縁側を支点に他端縁側が後方に開閉可能とされていることを特徴とする請求項４に記載の空気調和機。
【請求項６】
前記上半部に設けられている下方部位の前記空気吹出し口の前記垂直フラップおよび前記水平吹出し口の前記水平フラップは、冷房運転時、所定条件が満たされたとき、前記空気吹出し口を閉成可能に構成されていることを特徴とする請求項１ないし５のいずれかに記載の空気調和機。
【請求項７】
前記上半部に設けられている前記空気吹出し口の前記垂直フラップは、設定された能力以下の小能力運転時、各空気吹出し口の開度を設定された開度に絞るように構成されていることを特徴とする請求項１ないし６のいずれかに記載の空気調和機。
【請求項８】
前記キャビネットには、前面の上方部位に人体検出センサが設置され、前記空気吹出し口に設けられている前記垂直フラップは、前記人体検出センサにより検出された人がいる方向に回動されるように構成されていることを特徴とする請求項１ないし７のいずれかに記載の空気調和機。
【発明の詳細な説明】
【技術分野】
【０００１】
本発明は、縦長のキャビネットを備え、該キャビネットの下半部に空気吸込み口が設けられ、上半部に空気吹出し口が設けられている空気調和機に関するものである。
【背景技術】
【０００２】
従来から、床置き型の空気調和機として、縦方向に長くされた長方形状のキャビネットを備え、該キャビネット内の下半部に室内空気を吸込むシロッコファン等の室内ファンが設置され、上半部に室内空気を冷却または加熱する室内熱交換器が傾斜されて設置されるとともに、キャビネットの下半部に室内からの空気を吸込む空気吸込み口、上半部に温調された空気を室内に吹出す空気吹出し口が設けられている空気調和機が知られている。
【０００３】
かかる空気調和機の一例として、キャビネットの下半部の左右両側部に上下方向に一対の空気吸込み口が設けられるとともに、キャビネットの上半部の左右両側部に上下方向に一対の空気吹出し口が設けられ、これら空気吸込み口および空気吹出し口に、各々の開口を開閉可能な垂直フラップが、独立した駆動手段を介して垂直軸周りに回動自在に設けられている構成の空気調和機が、例えば特許文献１，２により提示されている。
【０００４】
また、上記のような空気調和機において、キャビネットの前面に人体を検知するセンサユニットを設置し、この人体検知センサユニットの出力に基づいて吹出し領域の制御、運転の切り忘れ防止制御等を行うようにしている空気調和機が、例えば特許文献３により提示されている。
【先行技術文献】
【特許文献】
【０００５】
【特許文献１】特開２００３−３４３８７１号公報（図１、図２参照）
【特許文献２】特開２００８−１８５２７８号公報（図１−図４参照）
【特許文献３】特開２００９−１８６１３４号公報（図１−図４参照）
【発明の概要】
【発明が解決しようとする課題】
【０００６】
特許文献１に示された空気調和機は、キャビネットの上半部の左右両側部に設けられている空気吹出し口が上下方向に複数に仕切られているが、これら複数に仕切られた空気吹出し口は、１つの垂直フラップで開閉可能とされており、各吹出し口が独立して開閉されるようにはなっていない。このため、暖房運転時、温風が上方に舞い上がり易く、床面には到達しにくいことから、暖房立ち上り時に寒いと感じることがあった。これは、特許文献２，３に示されている空気調和機も然りである。また、冷房運転時、冷風をより遠方に飛ばそうにも限界があり、徒に風量だけを増大されることになる等の課題があった。
【０００７】
さらに、上記の空気調和機では、キャビネット内の上半部に室内熱交換器が設置されているため、室外熱交換器をデフロストする際、蒸発器として機能する室内熱交換器で冷却された冷気が、室内ファンが停止されていても自然対流により下方に流下し、下半部に設けられている空気吸込み口から室内に流出され、暖房環境を悪化させてしまうという課題があった。また、特許文献３に示されている空気調和機は、吹出し領域の制御や運転の切り忘れ防止制御は可能であるが、上記の如く、縦長の床置き型空気調和機特有の課題を解決し得るものではなかった。
【０００８】
このように、縦長のキャビネットを備え、その下半部の左右両側部に上下方向に一対の空気吸込み口が設けられるとともに、上半部の左右両側部に上下方向に一対の空気吹出し口が設けられている構成の空気調和機においては、様々な運転状況に対して、その構成なるが故に、必ずしも最良の吹出し形態が創出されていないという課題があった。
【０００９】
本発明は、このような事情に鑑みてなされたものであって、縦長のキャビネットを備えており、その下半部に空気吸込み口が設けられ、上半部に空気吹出し口が設けられている空気調和機にあって、空調性能の向上、快適性の向上、省エネ性の向上等を図った空気調和機を提供することを目的とする。
【課題を解決するための手段】
【００１０】
上記した課題を解決するために、本発明の空気調和機は、以下の手段を採用する。
すなわち、本発明にかかる空気調和機は、縦長のキャビネットを備え、該キャビネットの下半部に空気吸込み口が設けられ、上半部に空気吹出し口が設けられている空気調和機において、前記上半部に設けられている前記空気吹出し口は、前記キャビネットの左右両側部にそれぞれ上下方向に少なくとも２個ずつ設けられ、前記各空気吹出し口および前記空気吸込み口には、各々の開口を開閉可能な垂直フラップが独立した駆動手段を介して回動自在に設置されているとともに、前記上半部に設けられている上方部位の前記空気吹出し口の前記垂直フラップは、暖房運転開始時、所定条件が満たされるまでの間、前記空気吹出し口を閉成可能に構成されていることを特徴とする。
【００１１】
本発明によれば、上半部に設けられている空気吹出し口がキャビネットの左右両側部にそれぞれ上下方向に少なくとも２個ずつ設けられ、各空気吹出し口および空気吸込み口には、各々の開口を開閉可能な垂直フラップが独立した駆動手段を介して回動自在に設置されるとともに、上半部に設けられている上方部位の空気吹出し口の垂直フラップは、暖房運転開始時、所定条件が満たされるまでの間、空気吹出し口を閉成可能に構成されているため、空気調和機の運転状況に応じて、各空気吹出し口および空気吸込み口に設けられている垂直フラップを独立した駆動手段を介して適宜開閉し、様々な態様で運転することが可能となる。そして、暖房運転開始時、上方部位の空気吹出し口に設けられている垂直フラップを所定条件が満たされるまで閉じておくことによって、温風を強制的に下方部位の空気吹出し口のみから下方に向けて吹出すことができる。従って、温風の舞い上がりを抑え、暖房立ち上り時の性能を改善することができる。なお、所定条件としては、暖房運転開始時からの時間あるいは暖房運転開始後の温度上昇等から適宜定めることができる。
【００１２】
さらに、本発明にかかる空気調和機は、縦長のキャビネットを備え、該キャビネットの下半部に空気吸込み口が設けられ、上半部に空気吹出し口が設けられている空気調和機において、前記上半部に設けられている前記空気吹出し口は、前記キャビネットの左右両側部にそれぞれ上下方向に少なくとも２個ずつ設けられ、前記各空気吹出し口および前記空気吸込み口には、各々の開口を開閉可能な垂直フラップが独立した駆動手段を介して回動自在に設置されているとともに、前記下半部に設けられている前記空気吸込み口の前記垂直フラップは、デフロスト運転時に、前記空気吸込み口を閉成可能に構成されていることを特徴とする。
【００１３】
本発明によれば、上半部に設けられている空気吹出し口がキャビネットの左右両側部にそれぞれ上下方向に少なくとも２個ずつ設けられ、各空気吹出し口および空気吸込み口には、各々の開口を開閉可能な垂直フラップが独立した駆動手段を介して回動自在に設置されるとともに、下半部に設けられている空気吸込み口の垂直フラップは、デフロスト運転時、空気吸込み口を閉成可能に構成されているため、空気調和機の運転状況に応じて、各空気吹出し口および空気吸込み口に設けられている垂直フラップを独立した駆動手段を介して適宜開閉し、様々な態様で運転することが可能となる。そして、デフロスト運転時、下半部に設けられている空気吸込み口の垂直フラップを閉じておくことにより、蒸発器として機能する室内熱交換器で冷却された冷気が下方に自然対流し、キャビネットの下半部に設けられている空気吸込み口から室内に流出するのを防ぐことができる。従って、デフロスト運転時、冷気の流出によって暖房環境が悪化されるという事態を回避することができる。
【００１４】
さらに、本発明の空気調和機は、上述のいずれかの空気調和機において、前記キャビネットの前記上半部には、その下方部位に水平方向に開口された水平吹出し口が設けられ、該水平吹出し口にその開口を開閉可能な水平フラップが独立した駆動手段を介して回動自在に設置されていることを特徴とする。
【００１５】
本発明によれば、キャビネットの上半部には、その下方部位に水平方向に開口された水平吹出し口が設けられ、該水平吹出し口にその開口を開閉可能な水平フラップが独立した駆動手段を介して回動自在に設置されているため、この水平吹出し口に設けられている水平フラップを独立した駆動手段を介して開閉し、キャビネットの左右両側部の上下方向に設けられている下方部位の空気吹出し口と同様に開放または閉成することにより、例えば暖房時には、下方に向けた良好な吹出し形態を創出することができる。従って、空調性能および快適性を更に向上することができる。
【００１６】
さらに、本発明の空気調和機は、上述のいずれかの空気調和機において、前記下半部に設けられている前記空気吸込み口は、少なくとも前記キャビネットの左右両側部に上下方向に沿って一対設けられていることを特徴とする。
【００１７】
本発明によれば、キャビネットの下半部に設けられている空気吸込み口は、少なくともキャビネットの左右両側部に上下方向に沿って一対設けられているため、上下方向に設けられている左右一対の空気吸込み口により、空気吸込み口の開口面積を十分確保することができるとともに、内部に設けられている室内ファンからの音がキャビネットの前面から直接前方に放出されないようにすることができる。従って、空気吸込み口からの放出音を低減することができる。
【００１８】
さらに、本発明の空気調和機は、上記の空気調和機において、前記上半部に設けられている上下複数の前記空気吹出し口の前記垂直フラップは、一端縁側を支点に他端縁側が前方に開閉可能とされ、前記下半部に上下方向に沿って設けられている一対の前記空気吸込み口の前記垂直フラップは、一端縁側を支点に他端縁側が後方に開閉可能とされていることを特徴とする。
【００１９】
本発明によれば、上半部に設けられている上下複数の空気吹出し口の垂直フラップは、一端縁側を支点に他端縁側が前方に開閉可能とされ、下半部に上下方向に沿って設けられている一対の空気吸込み口の垂直フラップは、一端縁側を支点に他端縁側が後方に開閉可能とされているため、空気吸込み口に設けられている垂直フラップをキャビネットの後方に向けて開放し、室内空気を後方側から吸込むことができ、一方、空気吹出し口に設けられている垂直フラップをキャビネットの前方に向けて開放し、温調風を前方に吹出すことができる。従って、空気吹出し口から吹出された温調風の空気吸込み口へのショートサーキットを低減し、空調性能を向上することができる。
【００２０】
さらに、本発明の空気調和機は、上述のいずれかの空気調和機において、前記上半部に設けられている下方部位の前記空気吹出し口の前記垂直フラップおよび前記水平吹出し口の前記水平フラップは、冷房運転時、所定条件が満たされたとき、前記空気吹出し口を閉成可能に構成されていることを特徴とする。
【００２１】
本発明によれば、上半部に設けられている下方部位の空気吹出し口の垂直フラップおよび水平吹出し口の水平フラップが、冷房運転時、所定条件が満たされたとき、空気吹出し口を閉成可能に構成されているため、例えば冷風を遠方まで飛ばしたい等の条件が設定されたとき、下方部位に設けられている空気吹出し口の垂直フラップおよび水平吹出し口の水平フラップを閉じることにより、冷風を上方部位の空気吹出し口のみから吹出し、より遠方まで飛ばすことができる。従って、冷房時の吹出し形態の多様化および冷房性能の向上を図ることができる。なお、所定条件としては、冷風をより遠くまで飛ばしたい場合に限らず、直接冷風が当るのを避けたい場合等、種々の条件を設定することができる。
【００２２】
さらに、本発明の空気調和機は、上述のいずれかの空気調和機において、前記上半部に設けられている前記空気吹出し口の前記垂直フラップは、設定された能力以下の小能力運転時、各空気吹出し口の開度を設定された開度に絞るように構成されていることを特徴とする。
【００２３】
本発明によれば、上半部に設けられている空気吹出し口の垂直フラップは、設定された能力以下の小能力運転時、各空気吹出し口の開度を設定された開度に絞るように構成されているため、小能力運転時、風量が絞られたときでも、それに対応して空気吹出し口の開度を適切な開度に絞ることにより、吹出し風の風速を落とすことなく、温調風を確実に必要なエリアに配風することができる。従って、必要以上に能力を上げる必要がなく、省エネ化を図ることができる。
【００２４】
さらに、本発明の空気調和機は、上述のいずれかの空気調和機において、前記キャビネットには、前面の上方部位に人体検出センサが設置され、前記空気吹出し口に設けられている前記垂直フラップは、前記人体検出センサにより検出された人がいる方向に回動されるように構成されていることを特徴とする。
【００２５】
本発明によれば、キャビネットの前面の上方部位に人体検出センサが設置され、空気吹出し口に設けられている垂直フラップが、人体検出センサにより検出された人がいる方向に回動されるように構成されているため、空気吹出し口から吹出される温調風を人体検出センサにより検出された人がいる方向に向けて吹出すことができる。従って、実際に人がいるエリアを効率よく効果的に温調することができる。
【発明の効果】
【００２６】
本発明の空気調和機によると、空気調和機の運転状況に応じて、各空気吹出し口および空気吸込み口に設けられている垂直フラップを独立した駆動手段を介して適宜開閉し、様々な態様で運転することができ、暖房運転開始時に、上方部位の空気吹出し口に設けられている垂直フラップを所定条件が満たされるまで閉じておくことによって、温風を強制的に下方部位の空気吹出し口のみから下方に向けて吹出すことができるため、温風の舞い上がりを抑え、暖房立ち上り時の性能を改善することができる。
【００２７】
また、本発明の空気調和機によると、空気調和機の運転状況に応じて、各空気吹出し口および空気吸込み口に設けられている垂直フラップを独立した駆動手段を介して適宜開閉し、様々な態様で運転することができ、デフロスト運転時に、下半部に設けられている空気吸込み口の垂直フラップを閉じておくことにより、蒸発器として機能する室内熱交換器で冷却された冷気が下方に自然対流し、キャビネットの下半部に設けられている空気吸込み口から室内に流出するのを防ぐことができるため、デフロスト運転時、冷気の流出によって暖房環境が悪化されるという事態を回避することができる。
【図面の簡単な説明】
【００２８】
【図１】本発明の一実施形態に係る空気調和機の斜視図である。
【図２】図１に示す空気調和機の縦断面図である。
【図３】図１に示す空気調和機の通常の冷暖房運転時の状態を示す斜視図である。
【図４】図１に示す空気調和機の暖房運転開始時の状態を示す斜視図である。
【図５】図１に示す空気調和機のデフロスト運転時の状態を示す斜視図である。
【発明を実施するための形態】
【００２９】
以下に、本発明の一実施形態について、図１ないし図５を参照して説明する。
図１には、本発明の一実施形態に係る空気調和機の斜視図が示され、図２には、その縦断面図が示されている。
縦長の床置き型空気調和機１は、縦方向に長くされた長方形状のキャビネット２を備えている。この縦長のキャビネット２の前面側の下半部には、左右両側部がそれぞれ所定角度のテーパ面とされている吸込みパネル３が設けられ、上半部には、左右両側部がそれぞれ所定角度のテーパ面とされている吹出しパネル４が設けられている。
【００３０】
キャビネット２内の下半部には、吸込みパネル３の背面側に空気中の塵埃を除去するエアフィルタ５が、吸込みパネル３に対して着脱自在に設置されており、更にそのエアフィルタ５と対向するように、吸込みパネル３側に空気吸込み口を備えているファンケーシング７と、ファンモータ８と、羽根車９とから構成されているシロッコファン等の室内ファン６が、吹出し口１０を上方に向けて配設されている。また、キャビネット２内の上半部には、縦長のフィンアンドチューブ型の室内熱交換器１１が上部を奥側に、下部を手前側に位置させて傾斜配置され、その下方部位には、ドレンパン１２が配設されている。
【００３１】
吸込みパネル３の左右両側部のテーパ面には、左右一対の吸込みグリル３Ａ，３Ｂが設けられている。吸込みグリル３Ａ，３Ｂは、上下方向に開口された長方形状の左右一対の空気吸込み口１３Ａ，１３Ｂと、この空気吸込み口１３Ａ，１３Ｂ内に、それぞれ垂直軸（図示省略）を介して一端縁側を支点として他端縁側が後方に開閉可能に設置されている垂直フラップ１４Ａ，１４Ｂとから構成されている。垂直フラップ１４Ａ，１４Ｂは、図示省略のステッピングモータ等の駆動手段を介して独立して回動自在とされている。
【００３２】
また、吹出しパネル４の左右両側部のテーパ面には、左右一対の吹出しグリル４Ａ，４Ｂが設けられている。吹出しグリル４Ａ，４Ｂは、それぞれ上下方向に開口されている上下一対の長方形状の空気吹出し口１５Ａ，１５Ｂおよび１５Ｃ，１５Ｄと、各空気吹出し口１５Ａ，１５Ｂおよび１５Ｃ，１５Ｄ内に、それぞれ垂直軸（図示省略）を介して一端縁側を支点として他端縁側が前方に開閉可能に設置されている垂直フラップ１６Ａ，１６Ｂおよび１６Ｃ，１６Ｄとから構成されている。これらの垂直フラップ１６Ａないし１６Ｄは、それぞれ図示省略のステッピングモータ等の駆動手段を介して独立して回動自在とされている。
【００３３】
各空気吹出し口１５Ａ，１５Ｂおよび１５Ｃ，１５Ｄに設置されている垂直フラップ１６Ａ，１６Ｂおよび１６Ｃ，１６Ｄの内部側には、それぞれ温調風の吹出し方向を上下方向に調整可能な複数枚の水平ルーバ１７Ａ，１７Ｂおよび１７Ｃ，１７Ｄ（図２参照）が手動または駆動手段を介して回動自在に設置されている。
【００３４】
また、吹出しパネル４の下方部位には、水平方向に開口された水平吹出し口１８が設けられており、この水平吹出し口１８内にも、その開口を開閉可能な水平フラップ１９が独立したステッピングモータ等の駆動手段を介して回動またはスライド自在に設置されている。水平吹出し口１８には、更に温調風の吹出し方向を左右方向に調整可能な複数枚の垂直ルーバ２０が手動または駆動手段を介して回動自在に設置されている。加えて、吹出しパネル４の上方部位には、室内に人が居るか居ないかを検出する人体検出センサ２１が設置されており、その出力が空気調和機１の運転停止、温調風の吹出し領域の制御等に用いられるようになっている。
【００３５】
さらに、複数の空気吹出し口１５Ａ，１５Ｂおよび１５Ｃ，１５Ｄに設置されている垂直フラップ１６Ａ，１６Ｂおよび１６Ｃ，１６Ｄ、水平吹出し口１８に設置されている水平フラップ１９、並びに左右一対の空気吸込み口１３Ａ，１３Ｂに設置されている垂直フラップ１４Ａ，１４Ｂは、少なくとも以下に記載される如く、開閉制御されるように構成されている。
【００３６】
（１）通常の冷暖房運転時には、図３に示されるように、空気吸込み口１３Ａ，１３Ｂに設置されている垂直フラップ１４Ａ，１４Ｂは、一端縁側を支点に他端縁側が後方に開放されるとともに、水平吹出し口１８に設置されている水平フラップ１９は、上方または下方に回動またはスライドして開放され、また、空気吹出し口１５Ａ，１５Ｂおよび１５Ｃ，１５Ｄに設置されている垂直フラップ１６Ａ，１６Ｂおよび１６Ｃ，１６Ｄは、一端縁側を支点に他端縁側が前方に開放されるようになっている。
【００３７】
（２）冷房運転時において、冷風をより遠方まで飛ばしたい、あるいは冷風が直接当るのを避けたい等の条件が満たされたときは、吹出しグリル４Ａ，４Ｂの上方部位に設けられている空気吹出し口１５Ａ，１５Ｃのみが開放され、下方部位に設けられている空気吹出し口１５Ｂ，１５Ｄおよび水平吹出し口１８は、垂直フラップ１６Ｂ，１６Ｄおよび水平フラップ１９によって閉成状態とされるようになっている。
（３）暖房運転開始時には、温風の舞い上がりを抑えるため、暖房運転開始時から所定時間が経過する迄、あるいは暖房運転開始後、所定温度上昇する迄等の条件が満たされる迄の間、図４に示されるように、吹出しグリル４Ａ，４Ｂの上方部位に設けられている空気吹出し口１５Ａ，１５Ｃが垂直フラップ１６Ａおよび１６Ｃにより閉成され、下方部位に設けられている空気吹出し口１５Ｂ，１５Ｄおよび水平吹出し口１８のみが開放状態とされるようになっている。
【００３８】
（４）空気調和機１が設定能力以下の小能力で運転される時、吹出しグリル４Ａ，４Ｂに設けられている各空気吹出し口１６Ａないし１６Ｄおよび吹出しパネル４に設けられている水平吹出し口１８の開度が、垂直フラップ１６Ａないし１６Ｄおよび水平フラップ１９により設定された開度に絞られるようになっている。
（５）人体検出センサ２１の出力に応じて、各空気吹出し口空気吹出し口１６Ａないし１６Ｄに設けられている垂直フラップ１６Ａないし１６Ｄが、人体検出センサ２１により検出された人がいる方向に向けて回動されるようになっている。
【００３９】
（６）暖房運転中に室外熱交換器に堆積した霜を除去するデフロスト運転時、蒸発器として機能する室内熱交換器１１で冷却された冷気が自然対流により下方に流下し、吸込みグリル３Ａ，３Ｂに設けられている空気吸込み口１３Ａ，１３Ｂから室内に流出するのを防止するため、図５に示されるように、空気吸込み口１３Ａ，１３Ｂに設置されている垂直フラップ１４Ａ，１４Ｂが閉成状態とされるようになっている。なお、この場合、垂直フラップ１６Ａないし１６Ｄおよび水平フラップ１９は、図５に示されているように、空気吹出し口１６Ａないし１６Ｄおよび水平吹出し口１８を開放したままでもよいし、あるいは閉成状態とするようにしてもよい。
【００４０】
以上に説明の構成により、本実施形態によれば、以下の作用効果を奏する。
キャビネット２の上半部の吹出しパネル４に設けられている空気吹出し口１５Ａないし１５Ｄが、吹出しパネル４の左右両側部に設けられている吹出しグリル４Ａ，４Ｂにそれぞれ上下方向に少なくとも２個ずつ設けられており、これら複数の各空気吹出し口１５Ａないし１５Ｄおよび空気吸込み口１３Ａ，１３Ｂには、それぞれの開口を開閉可能な垂直フラップ１６Ａないし１６Ｄおよび垂直フラップ１４Ａ，１４Ｂが独立した駆動手段を介して回動自在に設置されている。また、吹出し側パネル４の下方部位に設けられている水平吹出し口１８には、水平フラップ１９が独立した駆動手段を介して回動自在に設けられている。
【００４１】
このため、空気調和機１の運転状況に応じて、各空気吹出し口１５Ａないし１５Ｄおよび水平吹出し口１８、並びに空気吸込み口１３Ａ，１３Ｂに設けられている垂直フラップ１６Ａないし１６Ｄおよび水平フラップ１９、並びに垂直フラップ１４Ａ，１４Ｂを独立したステッピングモータ等の駆動手段を介して適宜開閉することによって、以下のような態様で運転することができる。
【００４２】
空気吸込み口１３Ａ，１３Ｂを開放するとともに、（１）吹出しパネル４の左右両側部の上下に、それぞれ少なくとも各２個設けられている空気吹出し口１５Ａないし１５Ｄおよび水平吹出し口１８を共に開放しての運転、（２）上方部位の空気吹出し口１５Ａ，１５Ｃを開放するとともに、下方部位の空気吹出し口１５Ｂ，１５Ｄおよび水平吹出し口１８を閉成しての運転、（３）下方部位の空気吹出し口１５Ｂ，１５Ｄおよび水平吹出し口１８を開放するとともに、上方部位の空気吹出し口１５Ａ，１５Ｃを閉成しての運転、（４）空気吹出し口１５Ａないし１５Ｄの開度を絞っての運転、（５）垂直フラップ１６Ａないし１６Ｄを人が居る方向に向けて回動し、吹出し方向を選定された任意の方向としての運転、更には、（６）空気吹出し口１５Ａないし１５Ｄおよび水平吹出し口１８を開放または閉成したまま、空気吸込み口１３Ａ，１３Ｂを閉成しての運転等々、様々な態様で運転することが可能となる。
【００４３】
これによって、運転状況に応じて最良の吹出し形態を選択することができ、空調性能の向上、快適性の向上、省エネ性の向上等を図ることができる。また、吹出しパネル４の下方部位に水平方向に開口された水平吹出し口１８が設けられ、該水平吹出し口１８に水平フラップ１９が独立した駆動手段を介して回動自在に設置されているため、水平吹出し口１８を開放することにより、特に、暖房運転時に下方に向けた良好な吹出し形態を創出することができ、暖房性能を改善することができる。
【００４４】
具体的には、暖房運転開始時、上方部位の空気吹出し口１５Ａ，１５Ｃに設けられている垂直フラップ１６Ａ，１６Ｄを、暖房運転開始から所定時間経過する迄、あるいは暖房運転開始後、所定温度上昇する迄等の条件が満たされる迄、閉じておくことにより、温風を強制的に下方部位の空気吹出し口１５Ｂ，１５Ｄおよび水平吹出し口１８のみから下方に向けて吹出すことができる。その結果、温風の舞い上がりを抑え、暖房立ち上り時の性能を改善することができる。
【００４５】
また、デフロスト運転時、垂直フラップ１４Ａ，１４Ｂにより空気吸込み口１３Ａ，１３Ｂを閉成するようにしているため、蒸発器として機能する室内熱交換器１１で冷却された冷気が下方へと自然対流し、キャビネット２の下半部前面の吸込みパネル３に設けられている空気吸込み口１３Ａ，１３Ｂを経て室内に流出するのを防ぐことができる。これにより、デフロスト運転時、冷気が室内に流出し、暖房環境が悪化されるという事態を回避することができる。
【００４６】
また、冷房運転時、冷風を遠方まで飛ばしたい、直接冷風が当るのを避けたい等の所定条件が満たされたとき、下方部位の空気吹出し口１５Ｂ，１５Ｄおよび水平吹出し口１８閉成されるようになっているため、冷風を上方部位の空気吹出し口１５Ａ，１５Ｃのみから吹出すことによって、遠方まで飛ばしたり、あるいは冷風が直接当るのを避けたりすることができる。従って、冷房時の吹出し形態の多様化および冷房性能の向上を図ることができる。
【００４７】
また、空気吹出し口１５Ａないし１５Ｄの垂直フラップ１６Ａないし１６Ｄおよび水平吹出し口１８の水平フラップ１９は、設定された能力以下の小能力運転時、空気吹出し口１５Ａないし１５Ｄおよび水平吹出し口１８の開度を設定された開度に絞るようになっている。このため、小能力運転時、風量が絞られたときでも、それに応じて空気吹出し口１５Ａないし１５Ｄおよび水平吹出し口１８の開度を適切な開度に絞ることにより、吹出し風の風速を落とすことなく、温調風を確実に必要なエリアに配風することができる。従って、必要以上に能力を上げる必要がなく、省エネ化を図ることができる。
【００４８】
また、キャビネット２の前面の上方部位に人体検出センサ２１が設置され、空気吹出し口１５Ａないし１５Ｄに設けられている垂直フラップ１６Ａないし１６Ｄが、人体検出センサ２１により検出された人がいる方向に回動されるようになっているため、空気吹出し口１５Ａないし１５Ｄから吹出される温調風を人体検出センサ２１により検出された人がいる方向に向けて吹出すことができる。従って、実際に人がいるエリアを効率よく効果的に温調することができる。
【００４９】
さらに、本実施形態では、吸込みパネル３の左右両側部に設けられている吸込みグリル３Ａ，３Ｂの空気吸込み口１３Ａ，１３Ｂは、吸込みパネル３の左右両側部に上下方向に沿って一対設けられている。このため、空気吸込み口１３Ａ，１３Ｂの開口面積を十分確保することができるとともに、内部に設けられている室内ファン７からの騒音がキャビネット２の前面から直接前方に放出されないようにすることができる。従って、空気吸込み口１３Ａ，１３Ｂからの放出音を低減することができる。
【００５０】
さらに、本実施形態では、吹出しパネル４の左右両側部に設けられている吹出しグリル４Ａ，４Ｂの上下複数の空気吹出し口１５Ａないし１５Ｄの垂直フラップ１６Ａないし１６Ｄは、一端縁側を支点に他端縁側が前方に開閉可能とされ、また吸込みパネル３に左右両側部に設けられている吸込みグリル３Ａ，３Ｂの一対の空気吸込み口１３Ａ，１３Ｂの垂直フラップ１４Ａ，１４Ｂは、一端縁側を支点に他端縁側が後方に開閉可能とされているため、空気吸込み口１３Ａ，１３Ｂに設けられている垂直フラップ１４Ａ，１４Ｂをキャビネット２の後方に開放し、室内空気を後方側から吸込むことができ、一方、空気吹出し口１５Ａないし１５Ｄに設けられている垂直フラップ１６Ａないし１６Ｄをキャビネット２の前方に向けて開放し、温調風を前方に吹出すことができる。従って、空気吹出し口１５Ａないし１５Ｄから吹出された温調風が空気吸込み口１３Ａ，１３Ｂへのショートサーキットを低減し、空調性能を向上することができる。
【００５１】
なお、本発明は、上記実施形態にかかる発明に限定されるものではなく、その要旨を逸脱しない範囲において、適宜変形が可能である。例えば、上記実施形態では、吹出しグリル４Ａ，４Ｂの上方部位に設けられる空気吹出し口１５Ａ，１５Ｃと、下方部位に設けられる空気吹出し口１５Ｂ，１５Ｄとは、略同一の大きさとされているが、水平吹出し口１８の存在を考慮して異なる大きさとしてもよい。また、各空気吹出し口１５Ａないし１５Ｄおよび空気吸込み口１３Ａ，１３Ｂは、吹出しグリル４Ａ，４Ｂおよび吸込みグリル３Ａ，３Ｂのテーパ面に設けられているが、必ずしもテーパ面とする必要はない。
【符号の説明】
【００５２】
１  空気調和機
２  キャビネット
３  吸込みパネル
３Ａ，３Ｂ  吸込みグリル
４  吹出しパネル
４Ａ，４Ｂ  吹出しグリル
１３Ａ，１３Ｂ  空気吸込み口
１４Ａ，１４Ｂ  垂直フラップ
１５Ａ，１５Ｂ，１５Ｃ，１５Ｄ  空気吹出し口
１６Ａ，１６Ｂ，１６Ｃ，１６Ｄ  垂直フラップ
１８  水平吹出し口
１９  水平フラップ
２１  人体検出センサ
【図１】
2011137565.tif 000003
【図２】
2011137565.tif 000004
【図３】
2011137565.tif 000005
【図４】
2011137565.tif 000006
【図５】
2011137565.tif 000007